(57)【特許請求の範囲】
【請求項１】
バックボーンケーブルの分岐接続作業のためのケーブル接続筐体であって、
少なくとも１つのケーブル導入口ボードと、
前記ケーブル導入口ボードに配置される少なくとも１つのリング状の接続部と、
前記接続部に配置され、熱収縮管および伸縮可撓管のうちの少なくとも一方によって前記バックボーンケーブルと前記ケーブル接続筐体の外側との間の接続を防水するように構成される少なくとも１つの第１の中空円筒管とを具備するケーブル接続筐体。
【請求項２】
前記バックボーンケーブルは、前記接続部を介して前記ケーブル接続筐体に挿入する前に露出して延びている第１のセグメントと、前記ケーブル接続筐体内でＵターンした後、前記接続部を介して前記ケーブル接続筐体から露出して延びている第２のセグメントとを有し、
前記熱収縮管および伸縮可撓管とのうちの前記少なくとも一方は、前記接続部を防水するための第１の端部と、前記ケーブル接続筐体の外側で前記第１および第２のセグメントを防水するため第２の端部とを有している、請求項１に記載のケーブル接続筐体。
【請求項３】
前記バックボーンケーブルと前記少なくとも１つのケーブル導入口ボードとを防水する第１の防水構造を形成するように、前記接続部に取付けられ、かつ、第２の防水構造を形成するように前記第１および第２のセグメントを固定する少なくとも１つの機械式の防水コンポーネントを更に具備し、
前記第１および第２のセグメントは、前記少なくとも１つの機械式の防水コンポーネントによって固定する固定領域を有し、
前記少なくとも１つの機械式の防水コンポーネントは、一対の締め付け式の外側筐体を備えており、
前記外側筐体の各々は、前記第１および第２のセグメントを覆うための２つの凹状側面を有し、
前記少なくとも１つの機械式の防水コンポーネントは、前記一対の外側筐体を互いに固定するための複数の押圧ネジと、前記外側筐体が接合する所にきつく巻きつく防水テープと、前記第１の防水構造を形成するように前記リング状の接続部の内側表面に配置された弾性防水パッドとを具備する、請求項２に記載のケーブル接続筐体。
【請求項４】
前記熱収縮管が、前記第１の中空円筒管の外側に配置されるとき、前記第１および第２のセグメント間にある前記熱収縮管の前記第２の端部から第１の端部に向かう方向に配置して前記第２の端部をクリップするマニホールドクランプを更に備え、前記熱収縮管は、第３の防水構造を形成するように、加熱によって収縮した後の前記第１の中空円筒管の外側と、前記ケーブル接続筐体の外側にある前記第１および第２のセグメントの一部とを包む、
請求項２に記載のケーブル接続筐体。
【請求項５】
少なくとも１つの防水補助装置を更に備え、
前記防水補助装置は、第４の防水構造を形成するように、前記第１および第２のセグメントの一部を覆って固定し、
前記接続部および前記中空円筒管は、前記第２の端部によって防水処理される接続を形成し、
前記伸縮可撓管は、第５の防水構造を形成するように、前記第１の中空円筒管の外側と、前記外部の端部から突き出している前記防水補助装置とを包み、
前記第１および第２のセグメントは、前記防水補助装置によって固定する固定領域を有し、
前記防水補助装置は、一対の締め付け式の外側筐体を備えており、前記外側筐体の各々は、前記第１および第２のセグメントを覆うための２つの凹状内面を有し、
前記防水補助装置は、第５の防水構造を形成するように、前記一対の外側筐体を固定するための複数の押圧ネジと、ダブルの接着剤側を有し、前記固定領域に配置される防水テープと、固定された２つの前記外側筐体の外側を包み、シングルの接着剤側を有する弾性防水パッドとを有している、請求項２に記載のケーブル接続筐体。
【請求項６】
前記ケーブル導入口ボードは、少なくとも１つの第２の中空円筒管を有しており、
前記第２の中空円筒管を通って、前記第１および第２のセグメントは,前記ケーブル接続筐体内に入り、
前記伸縮可撓管および熱収縮管の一方は、第６の防水構造を形成するように、前記第２の中空円筒管の外側と、前記ケーブル接続筐体の外側にある前記第１および第２のセグメントの一部とを包む、請求項２に記載のケーブル接続筐体。
【請求項７】
前記ケーブル接続筐体は、少なくとも１つの第１の固定具装置を更に備えており、
前記バックボーンケーブルは、Ｕターンしている光ファイバ心線を含んでおり、
前記少なくとも１つの第１の固定具装置は、リング留め金具、バンド留め金具、クランプジョイントおよびそれらの組合せからなるグループから選択されており、前記光ファイバ心線を固定するためのものであり、
前記ケーブル接続筐体は、光ファイバ収集盤を有する少なくとも１つの光ファイバ収集盤支柱を更に備えており、
前記第１の中空円筒管は、バックボーンケーブルが前記光ファイバ収集盤によって妨げられ、干渉されない位置で前記接続部に位置づけられており、
前記少なくとも１つのケーブル導入口ボードは、少なくとも１つの第２の中空円筒管をマウントしており、
前記第２の中空円筒管は、バックボーンケーブルが前記光ファイバ収集盤によって妨げられ、干渉される可能性のない位置で前記接続部に位置づけられており、
前記ケーブル接続筐体は、前記少なくとも１つの光ファイバ収集盤支柱を固定するための少なくとも１つの第２の固定具装置を更に備えており、
前記第２の固定具装置は、前記バックボーンケーブルが通過するケーブル導入口ボードの入口及び出口に対応する異なる位置に前記光ファイバ収集盤支柱を固定し、
前記ケーブル接続筐体の外部には、少なくとも１つの第３の固定具装置が更に配置され、
前記第３の固定具装置は、ケーブル導入口ボードに固定され、ネジ留めにより、前記接続部に固定する第１の固定部と、前記バックボーンケーブルを固定するリング留め金具を備え、前記第１の固定部に接続される第２の固定部とを有し、
前記伸縮可撓官および熱収縮管の一方による防水構造の外側に前記バックボーンケーブルを固定する、請求項２に記載のケーブル接続筐体。
【発明の詳細な説明】
【技術分野】
【０００１】
関連出願についてのクロスリファレンスおよび優先権の主張  
この出願は、世界知的所有権機関において、２０１０年７月２日に出願され、２０１２年１月５日にＷＯ  ２０１２／０００２０６  Ａ１として公表された特許協力条約（ＰＣＴ）出願番号ＰＣＴ／ＣＮ２０１０／０７４９４７の利点を主張するものである。そして、この開示は参照によってその全てをここに組み込まれる。
【０００２】
本発明は、バックボーンケーブルの分岐接続作業に適用する光ファイバケーブル接続筐体に関する。特に、防水処理がなされるバックボーンケーブルの分岐接続作業のための改良された光ファイバケーブル接続筐体に関する。ケーブル導入口ボードの統合化構造およびその総合的な汎用性は、バックボーンケーブルの分岐接続作業のための光ファイバケーブル接続筐体の防水処理のための選択性を高め、組立作業のための柔軟性を増加させ、データ通信従業者のためのコストを減らし、そして、制限された選択性、組立中の不便およびバックボーンケーブルの分岐接続作業のための光ファイバケーブル接続筐体の防水処理の現状の技術での作業コストの増加を含むさまざまな課題を解決することになる。
【背景技術】
【０００３】
電気通信、ケーブルテレビ、監視システムおよび有線通信産業の他方式の技術において、光ファイバがオーディオ、データおよびビデオメッセージを伝えるために広範囲に使用される。メッセージを転送先の場所に伝えるために使用される光ファイバは、通常、光ファイバケーブル接続筐体に接続され配線される。光ファイバケーブル接続筐体はケーブル導入口ボードを備えており、そして、ケーブル導入口ボードは挿入される光ファイバケーブルに対して接続および配線作業が実行される所に、光ファイバケーブル接続筐体内に光ファイバを挿入するためのケーブル導入口開口を備えている。
【０００４】
数十年にわたって、光ファイバは、通常、接続バックボーンとして使用され、そして、大部分の光ファイバケーブル接続筐体は、まっすぐで直接の接続作業（切断された１つの光ファイバをファイバコアの同じ総数を有する他の光ファイバと結合させる）およびミッドスパン接続作業（ファイバコアのより少ない総数を有するミッドスパン光ファイバとして、ファイバコアのより多くの総数を有する光ファイバを分配する）において使用される。現在、ＦＴＴＨ（ファイバートゥーザホーム）の出現によって、多数のファイバは、ファイバ装置、例えば光ファイバケーブル接続筐体を使用することにより、顧客端部に送られる。したがって、光ファイバケーブル接続筐体は、まっすぐな直接の接続およびミッドスパン接続だけでなくバックボーンケーブルの多数の分岐接続作業にも適用する（バックボーンケーブルは心線のより多くの総数を有し、一方でケーブルはその経路にあり光ファイバサービスを必要とするユーザと会う。他のユーザに対して接続するのに使用されなかった部分の光ファイバは、後で光ファイバ筐体によって異なる他の心線との接続で使用する。バックボーンケーブルで最も多くの部分は、曲げられることができず、特に光ファイバ心線は、他のユーザから使用される）。
【０００５】
光ファイバケーブルの現状の技術において、ケーブル導入口ボードは、挿入するケーブル接続筐体を受け入れるためのバックボーンケーブルの分岐接続作業のための防水処理がなされている。機械式処理方法および熱収縮式処理方法を含む２種類の防水処理がある。ここで、機械式処理方法は、シングルピースタイプ処理方式、デュアルピースタイプ処理方式およびマルチプルピースタイプ処理方式を含んでいる。そして、熱収縮式処理方法は、シングルピースタイプ処理方式を常に採用することができる。機械式のデュアルピースタイプおよびマルチプルピースタイプ防水処理で処理されるケーブル導入口ボードは、機械式のシングルピースタイプ防水処理で処理するよりも、より精巧な構造、より複雑な組み立ておよび大きなコストを有し、そして、防水能力のための組立品質はシングルピースタイプのそれより高いことは明らかである。バックボーンケーブルの分岐接続作業のために使用される、機械式のシングルピースタイプの防水処理ケーブル導入口ボードは、熱収縮式シングルピースタイプのそれと比較して、ほとんど同じコストを有する。それゆえに、両方の機械式又は熱収縮式方式のシングルピースタイプ防水処理を有するケーブル導入口ボードは、データ通信従業者のためのバックボーンケーブルの分岐接続作業に対して好適な選択である。
【０００６】
既存の技術のバックボーンケーブルの分岐接続作業のための上述した機械式および熱収縮式シングルピースタイプ防水処理ケーブル導入口ボードにとって、機械式防水処理光ファイバケーブル接続筐体は、溜まって水浸しの下水設備の地下での地下ケーブルとして適切に使用される熱収縮式防水処理のそれと比較して、より安全で、より良好な防水能力（厳しい組立）などの効果がある。しかしながら、他方では、それはまた、熱収縮式防水処理のそれより多くのコンポーネントおよび材料コストを必要とすることについて欠点を有する。熱収縮式処理光ファイバケーブル接続筐体は、機械式の防水処理のそれより少ないコンポーネントおよび材料コストを要することに関しては効果があり、組立品質に関して欠点を有し、そして、防水能力に影響を及ぼす。光ファイバが曲げられた場合には、それは地下に溜まって浸水した状況よりむしろ浮遊状況での使用においてより適切である。したがって、安全性のために、データ通信従業者は、浮遊状況を前提として熱収縮式防水処理光ファイバケーブル接続筐体を使用することによってコストを減らすことが可能である。これに反して、地下に溜まって浸水した状況および火から遠いと仮定される状況での使用において、品質および安全を確実にすることは、機械式防水処理光ファイバケーブル接続筐体を使用するために適切である。
【０００７】
それゆえに、光ファイバケーブルに防水処理をするために、機械式処理方法だけでなく熱収縮式処理方法も採用することが可能なシングルピースタイプケーブル導入口ボードを備えているバックボーンケーブルの分岐接続作業のための筐体を接続する場合、コストに関係し、かつ、光ファイバケーブル接続筐体の防水処理ケーブル導入口ボードの異なるタイプを使用することによって解決されると仮定される上述の課題は、単に光ファイバケーブル接続筐体の機械式および熱収縮式のケーブル導入口ボードの一体とされたタイプを使用することにより解決されることができる。現在の技術の中に存在している欠点を克服するために、本技術は、防水加工された接着剤またはネジ締め可能な方法によって機械式防水処理シングルピースタイプのケーブル導入口ボードと接続する粘着および可塑性を有する弾性防水加工されたパッドと協同して熱収縮式の防水されたコンポーネントを利用する。しかしながら、欠点は、ケーブル導入口ボード（上述したシングルピースタイプ）に対する統合化構造を失うこと、コンポーネントに対する複雑さを増加させること、ねじり接続のための作業の流れプロセスおよび材料コストなどを増加させることを含むことが残っている。
【０００８】
既存の技術の光ファイバケーブル接続筐体が改善されることができるのであれば、バックボーンケーブルの分岐接続作業に対する防水処理の不足が改善されることができ、組立品質および安全性は強化され得て、そして、組立保守およびコストは著しく減じられることができる。
【０００９】
従って、従来技術で起こっている欠点および欠陥から見て、および、それらを解決するために、「接続部、第１の中空円筒管および被接続部を有するデータ通信光ファイバケーブル接続筐体」は、出願人によって考えられ、提供される。本発明の特定の設計は、上で記載されている課題を解決するだけでなくて、実行されるために容易でもある。従って、本発明は、産業に対する実用性を有する。次の説明は、本発明の概要である。
【発明の概要】
【００１０】
現在の技術の欠点を克服するために、本発明は、バックボーンケーブルの分岐接続作業のための光ファイバケーブル接続筐体を提供することを意図する。この光ファイバケーブル接続筐体は、ケーブル導入口ボードに構成される少なくとも１つの接続部を有する。バックボーンケーブルは、光ファイバケーブル接続筐体内にＵターンを形成するように接続部を介して外に延びている第１のセグメントと、光ファイバケーブル接続筐体から接続部を介して延びている第２のセグメントとを有する。少なくとも１つの第１の中空円筒管は、それぞれの接続部と接続される。光ファイバケーブル接続筐体は、それぞれの接続部を接続される少なくとも１つの第１の中空円筒管と、熱収縮管と、伸縮可撓管のうちの少なくとも１つと、各々が第１の中空円筒管および接続部の結合を防水している一方の端部と、ケーブル接続筐体の外側で第１および第２のセグメントを防水している第２の端部とを有する。それゆえに、光ファイバケーブル接続筐体は、単一の構造（シングルのタイプ）のそのケーブル導入口ボードが、防水処理として機能するために機械式の防水コンポーネントまたは伸縮可撓管若しくは熱収縮管を使用することによって、バックボーンケーブルの分岐接続作業のケーブル接続筐体への挿入を可能にする。既存の技術の光ファイバケーブル接続筐体は、シングルの構造（シングルのタイプ）のケーブル導入口ボードがちょうど１つの接続部を有する。バックボーンケーブルは、バックボーンケーブルの分岐接続作業がなされる。バックボーンケーブルの光ファイバ心線が切られないという条件で、曲げられた後に、二重のケーブルの方法で機械的に防水部分によって防水されるバックボーンケーブルは、ケーブル接続筐体に挿出入されるように、少なくとも１つの接続部を通る。また、シングルの構造（シングルのタイプ）のケーブル導入口ボードは、ちょうど第１の中空円筒管を有する。バックボーンケーブルは、バックボーンケーブルの分岐接続作業がなされる。バックボーンケーブルは、分岐クリップアクセサリの熱収縮チューブの中で１つの防水処理され、バックボーンケーブルの心線が切られることがないという条件下で、曲げられた後に、二重のケーブルでケーブル接続筐体に挿出入するために少なくとも１つの中空円筒管を通る。それゆえに、本発明にシングルの構造（シングルのタイプ）を使用する。そして、防水処理として機能するために機械式の防水コンポーネントまたは伸縮可撓管または熱収縮管を用いてケーブル接続筐体に挿入するためのバックボーンケーブルの分岐接続作業を提供する。ケーブル導入口ボードの統合化構造およびその総合的な汎用性は、バックボーンケーブルの分岐接続作業のための光ファイバケーブル接続筐体の防水処理の選択を高めることを導き、組立の柔軟性を増加させ、通信会社のコストを減らし、組立の不便、および事業のためのメンテナンスおよび作業コストを増加させる選択的な限定を含むバックボーンケーブルの分岐接続作業のための光ファイバケーブル接続筐体の防水処理の現在の技術を解決する。
【００１１】
さらにまた、本発明の光ファイバケーブル接続筐体は、少なくとも１つの接続部に配置されている少なくとも１つの第１の中空円筒管を更に含む。光ファイバケーブル接続筐体のより少ない小容積、より多く収集することの利便性、およびケーブル導入口ボードのより多くの量、より多くのケーブルの接続および配線の利便性が求められる。通常、光ファイバケーブル接続筐体は、バックボーンケーブルの分岐接続作業において１つの入口および出口、より望ましくは、更なる量の入口および出口（通常、４つを有する）を使用する。限られた領域を有するケーブル導入口ボードの中を完全に使用するために、ケーブル導入口ボードの光ファイバケーブル接続筐体は、バックボーンケーブルの分岐接続作業の第１の中空円筒管のための共通の開口およびバックボーンケーブルの分岐接続作業の接続部を提供する。したがって、第１の中空円筒管は、ケーブル導入口ボードの１つの接続部上に配置される。
【００１２】
さらに、本発明の光ファイバケーブル接続筐体は、第１の防水構造を形成するように、接続部上に少なくとも１つの機械式の防水コンポーネントを更に含み、そして、第２の防水構造を形成するように、第１および第２のセグメントを固定する。したがって、本発明のケーブル接続筐体は、バックボーンケーブルの分岐接続作業のケーブル導入口ボードに  対する防水に、機械式の防水コンポーネントを使用することができる。
【００１３】
本発明の上記目的および利点は、次の詳細な説明および添付の図面を検討した後に、従来技術における当業者によって直ちに明らかになる。
【００１４】
さらに、本発明の光ファイバケーブル接続筐体は、第１の中空円筒管の上部に載置される中間の部分を有する第２の端部まで、前記第１および第２のセグメント間のこの第２の端部を下方へ圧迫するために使用される少なくとも１つの分岐クリップを更に備える。第３の防水構造を形成するように、それぞれの熱収縮管が加熱によって収縮された後に、第１の中空円筒管の外側、およびそれぞれ第１のおよび第２のセグメント部分を包む。したがって、本発明のケーブル接続筐体は、バックボーンケーブルの分岐接続作業のケーブル導入口ボードに対する防水処理を完了するために、マニホールドクランプの熱収縮チューブを使用することができる。マニホールドクランプを使用する目的は、熱収縮管が収縮の後にきつく二重のケーブルを包むことができるために、熱収縮管が加熱によって収縮する前に、熱収縮管および二重ケーブルの間にそれを置くことである。
【００１５】
さらにまた、本発明の光ファイバケーブル接続筐体は、少なくとも１つの防水補助装置を更に含む。防水補助装置は、第４の防水構造を形成するように、第１および第２のセグメントを固定し、伸縮可撓管および外部の端部を有する第１の中空円筒管と協同する。伸縮可撓管は、第５の防水構造を形成するように、第１の中空円筒管の外側および外部の端部から突出している防水補助装置を包む。したがって、本発明のケーブル接続筐体は、バックボーンケーブルの分岐接続作業のケーブル導入口ボードに対する防水処理を完了するために、ギャップ防水処理補助機器を満たすことを有する伸縮可撓管を使用することができる。伸縮可撓管は、高い伸長性、高い引張強さ、および、良
好な可撓性のリカバリーレートの可撓体で作成される。伸縮可撓管内部の細片を有するパッドは、開口サイズを拡大するためにスパイラルパイプを有する。防水の方法は、第１の中空円筒管の外側の部分をカバーするために、拡大された伸縮可撓管の部分を使用する。拡大した可撓性の可縮管材料の他の部分は、第１の中空円筒管の充填ギャップ防水処理補助機器をカバーし、通された第１の中空円筒管に接続される。可撓性の可縮管材料壁の固いプラスチックスパイラルストライプの内側パッドを引き戻した後に、伸縮可撓管は、前の拡大したより小さい開口サイズに近づく。そこにおいて、より小さ
い開口サイズは、締め付け式の第５の防水構造を形成するために、第１の中空円筒管および充填ギャップ防水処理補助機器の直径より小さい。充填ギャップ防水処理補助機器を使用する目的は、バックボーンケーブルの分岐接続の光ファイバによるものであり、それは、バックボーンケーブルの光ファイバ心線が切られることがないとの条件下で、二重のケーブル方法において接続および配線用の筐体に挿入するための光ファイバケーブル接続筐体のケーブル導入口ボードのケーブルの入口および出口を通過するからである。二重のケーブル間のギャップは、ギャップ防水処理補助機器を充填することを用いて、伸縮可撓管の収縮の後で、第４の防水構造の楕円柱または同様の円柱の凹状ギャップをきつく包むことが可能である。
【００１６】
さらに、本発明の光ファイバケーブル接続筐体は、固定領域を有する第１および第２のセグメントを更に含み、防水処理補助機器は、一対の固定具を含む。それらの各々は、第５の防水構造を形成するように、内部部分、一対の固定具を固定する複数の固定ネジ、および、第１および第２のセグメントを固定する固定具および固定領域に配置されている接着剤を有する。
【００１７】
さらにまた、本発明の光ファイバケーブル接続筐体は、ケーブル導入口ボードを含み、それは、少なくとも１つの第２の中空円筒管を更に含む。そして、それを介して、第１および第２のセグメントは光ファイバケーブル接続筐体を通過する。
【００１８】
さらにまた、本発明の光ファイバケーブル接続筐体は、伸縮可撓管を更に含む。そして、熱収縮管は、第６の防水構造を形成するように、第２の中空円筒管の外側、および、第１および第２のセグメントの部分を包む。まっすぐで直接の接続およびミッドスパン接続の光ファイバは、バックボーンケーブルの光ファイバ心線が切られているという条件下で、シングルの光ファイバの方法でケーブル接続筐体に挿入するために第２の中空円筒管を通過する。それで、伸縮可撓管を使用している光ファイバの防水処理は、充填ギャップ防水処理補助機器を使用する必要はなく、および、熱収縮管を使用している光ファイバの防水処理はマニホールドクリップを使用する必要はない。
【００１９】
さらにまた、本発明の光ファイバケーブル接続筐体は、少なくとも１つの第１の固定具装置をその中で更に含む。そこにおいて、バックボーンケーブルは、Ｕターンを形成している光ファイバ心線を含む。そして、少なくとも１つの固定具装置は、リング留め金具、バンド留め金具、クランプジョイントおよびそれらの組合せからなるグループから選択される。そして光ファイバ心線を固定する。ケーブル接続の伝送品質および防水効果は、光ファイバケーブル接続筐体の接続された外側ケーブルが通常の振動、または、外力および慣性の影響による引っ張りのために影響を受ける。それゆえに、本発明の光ファイバケーブル接続筐体は、バックボーンケーブルのケーブルカバレージを固定するために、第１の固定具装置を有し、それによって、筐体内部の光ケーブルが筐体の外側で延びられ、接続されたケーブルが緩みを受けないようにしており、ケーブル伝送品質および防水影響を高め確実にする。
【００２０】
さらにまた、本発明の光ファイバケーブル接続筐体は、光ファイバ収集盤を支持した少なくとも１つの光ファイバ収集盤支柱を更に含む。第１の中空円筒管の位置は、光ファイバ収集盤によって、バックボーンケーブルが妨げられ干渉される可能性のない位置に位置づけられる。一方、バックボーンケーブルは、第１の中空円筒管の軸に沿って第１の中空円筒管を介してケーブル接続筐体を通過する。それゆえに、光ファイバケーブル接続筐体は、小さい内部空間を有し、一方、ケーブル接続筐体に挿入するバックボーンケーブルは、伝達の低品質に結果としてなるような光ファイバ収集盤による曲げによる妨害および干渉を受けることから回避することができる。これは、ケーブルの伝送品質を高め、および光ファイバケーブル接続筐体を小型化する結果になりえる。
【００２１】
さらにまた、本発明の光ファイバケーブル接続筐体は、少なくとも１つの第２の中空円筒管を上にマウントする１つのケーブル導入口ボードを更に含む。第２の中空円筒管の位置は、バックボーンケーブルが光ファイバ収集盤によって妨げられ干渉される可能性のない位置に位置づけられる。一方、バックボーンケーブルは、その軸に沿って第２の中空円筒管を介してケーブル接続筐体を通る。
【００２２】
さらにまた、本発明の光ファイバケーブル接続筐体は、少なくとも１つの支柱を固定するための少なくとも１つの第２の固定具装置を更に含む。第２の固定具装置は、その軸に沿って第２の中空円筒管を介してケーブル接続筐体を通るバックボーンケーブルの位置を提供するために、ファイバ収集盤支柱の位置から異なる位置で支柱を固定するように少なくとも１つのケーブル導入口ボードと整合する。ファイバ収集盤支柱のバックボーンケーブルに対して関連したコンポーネントの固定、収集、配分および位置は、共通のモードおよび技術を有する。それゆえに、ケーブルの入口および出口は、変化に適しておらず、必要なときに、バックボーンケーブルのための入口および出口を変更することは最良の利点を有する。それゆえに、本発明の光ファイバケーブル接続筐体は、筐体への異なる入口にケーブル導入口ボードを挿入するためにバックボーンケーブルを提供するように、第２の固定具装置を有する。関連した光ファイバ収集盤支柱の固定、収集およびが配分は、既存の技術で操作することができる。それで、バックボーンケーブルの入口および出口の変更によって副作用を減らすことができ、ケーブル導入口ボードの入口および出口のアプリケーションの範囲を高めて、および関連した作業の技術的な品質を確実にすることができる。
【００２３】
さらにまた、本発明の光ファイバケーブル接続筐体は、外部部分および少なくとも１つの第３の固定具装置を更に含む。そこにおいて、第３の固定具装置は、２つの固定孔および２本のネジを有する少なくとも１つの第１の固定部と、その上に構成された少なくとも１つの第２の固定部とを有し、かつ、固定コンポーネントを含んでおり、その固定コンポーネントは、リング留め金具、バンド留め金具、クランプジョイントおよびそれらの組合せからなるグループから選択される。第１の固定部は、２つの固定孔および２本のネジを介して第３の固定装置を固定する。固定コンポーネントは、その外部部分上にバックボーンケーブルを固定する。そして、バックボーンケーブルは、第１の中空円筒管を介して延び、可撓性収縮可能なパイプおよび熱収縮管の１つによる防水処理を有し、第３の固定具装置に固定される。ケーブル導入口ボードに対するケーブルの防水構造の防水効果は、光ファイバケーブル接続筐体の接続された外側ケーブルが通常の振動、または、外力および慣性の影響による引っ張りのために影響を受ける。それゆえに、本発明のその外側の部分に対する光ファイバケーブル接続筐体は、外側の防水構造のケーブルのケーブルカバレージに固定し、接続する第３の固定具装置を有する。それで、ケーブル導入口ボードの防水構造は、ケーブル接続筐体の接続された防水構造の外側のケーブルによる振動および引っ張りを受けることを回避することができる。
【００２４】
さらにまた、本発明の光ファイバケーブル接続筐体は、ケーブル導入口ボードに固定された少なくとも１つの第１の固定部と、少なくとも１つの第２の固定部とを有する第３
の固定具装置を更に含む。そこにおいて、ケーブル導入口ボードを介し、および光ファイバケーブル接続筐体に挿入するバックボーンケーブルは、ネジ、ほぞ穴、クランプジョイント、リング留め金具、バンド留め金具およびそれらの組合せからなるグループから選択されるものによって第２の固定部に固定される。
【００２５】
発明は、ケーブルの分岐接続作業のための光ファイバケーブル接続筐体を示す。そこにおいて、接続筐体は、ケーブルを含んでおり、それは：ケーブル導入口ボードと；ケーブル導入口ボード上に構成された接続部とを具備し、そこで、ケーブルは、ケーブル接続筐体内にＵターンを形成するように接続部を介して延びている第１のセグメントと、ケーブル接続筐体から接続部を介して延びている第２のセグメントとを有し、接続部に接続される第１の中空円筒管と；熱収縮管および伸縮可撓管のうちの１つとを更に具備し、そしてそれは、第１の中空円筒管、接続部およびケーブル導入口ボードの間の接続を防水処理する一方の端部と、ケーブル接続筐体の外側で第１および第２のセグメントを防水処理する第２の端部とを有する。
【００２６】
本発明は、ケーブルの分岐接続作業のためのケーブル接続筐体を示す。そこにおいて、接続筐体は：接続部と（ケーブルがケーブル接続筐体内にＵターンを形成するように接続部を介して延びている第１のセグメントと、ケーブル接続筐体から接続部を介して延びている第２のセグメントとを有する）；延びている第１および第２のセグメントが通過する接続部をその上に構成しているケーブル導入口ボードと；熱収縮管および伸縮可撓管のうちの１つとを具備し、そしてそれは、接続部およびケーブル導入口ボード間の接続を防水処理する一方の端部と、ケーブル接続筐体の外側で第１および第２のセグメントを防水処理する第２の端部とを有する。
【図面の簡単な説明】
【００２７】
【図１（Ａ）】図１（Ａ）から図１（Ｂ）は、本発明に係る実施形態１にて使用される分岐接続作業のためのバックボーンケーブルに適し、かつケーブル導入口ボード２を有している光ファイバケーブル接続筐体１を示す概略図である。
【図１（Ｂ）】図１（Ａ）から図１（Ｂ）は、本発明に係る実施形態１にて使用される分岐接続作業のためのバックボーンケーブルに適し、かつケーブル導入口ボード２を有している光ファイバケーブル接続筐体１を示す概略図である。
【図２】図２は、本実施形態１の分岐接続作業のためのバックボーンケーブル５に対して防水処理として機能する熱収縮管９を使用することを示している概略図である。
【図３（Ａ）】図３（Ａ）から図３（Ｄ）は、本実施形態１の分岐接続作業のためのバックボーンケーブル５に対して防水処理として機能する機械式の防水コンポーネント７を使用することを示している概略図である。
【図３（Ｂ）】図３（Ａ）から図３（Ｄ）は、本実施形態１の分岐接続作業のためのバックボーンケーブル５に対して防水処理として機能する機械式の防水コンポーネント７を使用することを示している概略図である。
【図３（Ｃ）】図３（Ａ）から図３（Ｄ）は、本実施形態１の分岐接続作業のためのバックボーンケーブル５に対して防水処理として機能する機械式の防水コンポーネント７を使用することを示している概略図である。
【図３（Ｄ）】図３（Ａ）から図３（Ｄ）は、本実施形態１の分岐接続作業のためのバックボーンケーブル５に対して防水処理として機能する機械式の防水コンポーネント７を使用することを示している概略図である。
【図４（Ａ）】図４（Ａ）から図４（Ｃ）は、本実施形態１に係る分岐接続作業のためのバックボーンケーブル５に対して防水処理として機能する伸縮可撓管８を使用することを示している概略図である。
【図４（Ｂ）】図４（Ａ）から図４（Ｃ）は、本実施形態１に係る分岐接続作業のためのバックボーンケーブル５に対して防水処理として機能する伸縮可撓管８を使用することを示している概略図である。
【図４（Ｃ）】図４（Ａ）から図４（Ｃ）は、本実施形態１に係る分岐接続作業のためのバックボーンケーブル５に対して防水処理として機能する伸縮可撓管８を使用することを示している概略図である。
【図５】図５は、本発明に係る実施形態１にて使用される分岐接続作業に適している光ファイバ筐体１のケーブル導入口ボード２を示している概略図である。
【図６】図６は、本発明に係る実施形態１にて使用される分岐接続作業のためのバックボーンケーブルに適している光ファイバケーブル接続筐体１の内部を示している概略図である。
【図７】図７は、本発明に係る実施形態１にて使用される分岐接続作業のためのバックボーンケーブルに適している光ファイバケーブル接続筐体１の内部を示している概略図である。
【図８】図８は、本発明に係る実施形態１に使用される分岐接続作業のためのバックボーンケーブルに適している光ファイバケーブル接続筐体１を示している概略図である。
【図９】図９は、本発明に係る実施形態１に使用される分岐接続作業のためのバックボーンケーブルに適している光ファイバケーブル接続筐体１を示している概略図である。
【発明を実施するための形態】
【００２８】
本発明である「バックボーンケーブルの分岐接続作業のための光ファイバケーブル接続筐体」は、好ましい実施態様および実施例を参照することによって、当業者において実施されるように模範として記載される。これらの実施例は、限定的なものではなく、むしろ例示的なものとして意図されるものであると理解されるものである。当業者にて容易に想到される修正および組合せは、本発明の精神の範囲内であるこということが予定されるものである。
【００２９】
実施形態１
図１（Ａ）から図１（Ｂ）を参照する。これら図は、本発明に係る実施形態１に用いられる分岐接続作業のためのバックボーンケーブルに適しており、かつケーブル導入口ボード２を有する光ファイバケーブル接続筐体１（ハウジング、ケーシング、シェル）を示している概略図である。ケーブル導入口ボード２は、接続部３および第１の中空円筒管４を有するように形成される。第１の中空円筒管４は、接続部３と統合形成された接続部３の内側縁部に形成される集積構造を有する。バックボーンケーブルは、光ファイバケーブル接続筐体内にＵターンを形成するように接続部を介して外に延びている第１のセグメントと、光ファイバケーブル接続筐体から接続部を介して延びている第２のセグメントとを有する。分岐接続作業のためのバックボーンケーブルに含まれる光ファイバ心線６を有する光ファイバ５は、バックボーンケーブルの光ファイバ心線６が切断されることがないという条件下において曲げられ得る。屈曲の後、光ファイバ心線６は、二重ケーブル形態として折られ、そして第１の中空円筒管４および接続部３の両方を貫通し、それで図１（Ａ）のケーブル接続筐体１に挿入される。機械的な防水コンポーネント７、伸縮可撓管８または熱収縮管９のいずれかの１つは、実施形態１の分岐接続のためのバックボーンケーブル５に対して防水処理として機能するように選ばれることができる。実施形態の方法は、以下の通りに開示される。
【００３０】
図２を参照する。図２は、本実施形態１の分岐接続作業のためのバックボーンケーブル５に対する防水処理として機能するように熱収縮管９を使用することを示している概略図である。分岐接続作業のためのバックボーンケーブル５に対する防水処理として機能するように熱収縮管９を使用するときに、それは加えて、マニホールドクランプ９０１を必要とする。ケーブル接続筐体１内へと第１の中空円筒管４を貫通している、分岐接続作業のためのバックボーンケーブル５上の、かつ、第１の中空円筒管４をカバーしている熱収縮管９およびマニホールドクランプ９０１を加熱した後、熱収縮管９は、第１の中空円筒管４の外側を包み、第１の中空円筒管４を貫通しケーブル接続筐体１に挿入する分岐接続作業のためのバックボーンケーブル５の外側を部分的に包むようにきつく収縮され、それで、第３の防水構造を形成する。分岐接続作業のためのバックボーンケーブル５およびケーブル導入口ボード２に対する防水処理は、完了される。
【００３１】
図３（Ａ）から図３（Ｄ）を参照する。これら図は、本実施形態１の分岐接続作業のためのバックボーンケーブル５に対する防水処理として機能するように機械式の防水コンポーネント７を使用することを示している概略図である。本実施形態１の機械式の防水コンポーネント７は、締め付け式の外側の筐体７０１の２つのピース、押圧ネジ７０２、粘着および可塑性を有する防水テープ７０３および弾性防水パッド７０４を含む（図３（Ａ）に示すように）。接続部３にダメージを与えることのない条件下で分岐接続作業のためのバックボーンケーブル５に対する防水処理として機能するように機械式の防水コンポーネント７を使用するときに、ケーブル導入口ボード２の接続部３の内側縁部上に形成される第１の中空円筒管４の統合化構造は取り外される（図３（Ｂ）に示すように）。それで、防水テープ７０３は、締め付け式の外側の筐体７０１上の二重の光ファイバを含むための二重凹状シンクの片方の側面に配置される。防水テープ７０３は、Ｕターン状の光ファイバおよび締め付け式の外側の筐体７０１が接合する所にきつく巻きつく。そこにおいて、接続部３を貫通しケーブル接続筐体１へ挿入する、分岐接続作業のために使用されるバックボーンケーブル５のＵターン状の光ファイバ内部の光ファイバ心線６は切断されない。押圧ネジ７０２は、第１の防水構造を形成するために締め付け式の外側の筐体７０１のピースの一対を係止するために使用される（図３（Ｃ）に示すように）。次に、弾性防水パッド７０４は、接続部３が締め付け式の外側の筐体７０１と結合されやすい位置に配置され、そして、分岐接続作業のためのバックボーンケーブル５はケーブル接続筐体１内へと接続部３を介して貫通される。次に、締め付け式の外側の筐体７０１は、きつく締めた第２の防水構造を形成するようにネジ締め可能な方法によって接続部３と結合される（図３（Ｄ）に示すように）。分岐接続作業のためのバックボーンケーブル５およびケーブル導入口ボード２に対する防水処理は、完了される。
【００３２】
図４（Ａ）から図４（Ｃ）を参照する。これら図は、本実施形態１に係る分岐接続作業のためのバックボーンケーブル５に対する防水処理として機能するように伸縮可撓管８を使用することを示している概略図である。分岐接続作業のためのバックボーンケーブル５に対する防水処理として機能するように伸縮可撓管８を使用するときに、接続部３の内側縁部上の第１の中空円筒管４は取り外されることを必要とせず、しかし、伸縮可撓管８および防水補助装置が使用されることを必要とされる。本実施形態１の防水補助装置は、二重の光ファイバを含むための二重凹状シンクを有する半楕円の締め付け式の外側の筐体８０１の２つのピース、押圧ネジ８０２、ダブルの接着剤側を有する粘着およびプラスチック防水テープ８０３およびシングルの接着剤側を有する弾性防水パッド８０４を含む（図４（Ａ）に示すように）。ダブルの接着剤側を有する防水テープ８０３を二重の光ファイバを含むための二重凹状シンクを有する半楕円の締め付け式の外側の筐体８０１の１つのピース上に配置する。ダブルの接着剤側を有する防水テープ８０３はＵターン状の光ファイバおよび半楕円の締め付け式の外側の筐体８０１が接合する所に巻きつく。そこにおいて、第１の中空円筒管４を貫通しケーブル接続筐体１へ挿入する、分岐接続作業のために使用されるバックボーンケーブル５のＵターン状の光ファイバ内部の光ファイバ心線６は切断されない。次に、押圧ネジ８０２は、楕円防水構造を形成するために半楕円の締め付け式の外側の筐体８０１をきつく係止するために使用される。次に、きつく係止されたせいで、ダブルの接着剤側を有する粘着およびプラスチック防水テープ８０３の残存し締め出された部分は、二重の光ファイバを含むための二重凹状シンクを有する半楕円の締め付け式の外側の筐体８０１から取り除かれる。次に、シングルの接着剤側を有する弾性防水パッド８０４は、二重の光ファイバを含むための二重凹状シンクを有する半楕円の締め付け式の外側の筐体８０１の外側を包む。それによって、第４の防水構造（図４（Ｂ）に示すように）は二重の光ファイバを含むための二重凹状シンクを有する半楕円の締め付け式の外側の筐体８０１内で形成される。次に、伸縮可撓管８は、分岐接続作業のための第４の防水構造が形成されたバックボーンケーブル５をカバーし、そして伸縮可撓管８を有する防水処理によって処理されるように準備される。形成された第４の防水構造を有する形成されたバックボーンケーブル５は、Ｕターン状の構成を形成するように曲げられて、そしてケーブル接続筐体内に第１の中空円筒管４を通過するように送られ、それでケーブル接続筐体１に固定される。伸縮可撓管８は、それで第１の中空円筒管４の外側の部分を包むために使用され、楕円円筒管が、第４の防水構造の第１の中空円筒管４の中を通ることなく、第５の構造（図４（Ｃ））を形成する。分岐接続作業のためのバックボーンケーブル５と、ケーブル導入口ボード２との間の防水処理は、完了される。
【００３３】
図５を参照する。図５は、本発明に係る実施形態１にて使用するための分岐接続作業に適している光ファイバケーブル接続筐体１のケーブル導入口ボード２を示している概略図である。ケーブル導入口ボード２は、ケーブル接続筐体１を通過するようにまっすぐな直接の接続作業およびミッドスパン接続作業のための光ファイバケーブル１１を提供している６本の第２の中空円筒管１０を備えている。第２の中空円筒管１０は、伸縮可撓管８（または熱収縮管９）として選ばれることができ、それは第２の中空円筒管１０の外側の部分を包み、同様に、第２の中空円筒管１０の外側の部分の、ケーブル接続筐体１と接続する第２の中空円筒管を通過する光ファイバケーブル１１の部分も包み、それは、防水構造（図５）を形成する。第２の中空円筒管１０および光ファイバケーブル１１が比較的より小さい直径を有し、すなわち傷つけられる場合、シングルの接着剤側を有する弾力的な防水テープ８０４が傷を充填するように伸縮可撓管８のサイズに合わせるように直径を拡大するように巻き付けられるために使用されることができる。
【００３４】
図６を参照する。図６、本発明に係る実施形態１にて使用される分岐接続作業のためのバックボーンケーブルに適している光ファイバケーブル接続筐体１の内部を示している概略図である。光ファイバ接続筐体１内部に第１の固定具装置１２は配置される。第１の固定具装置１２は、第１の固定具装置１２に導入している光ファイバケーブル１１を固定するためにステンレススチールリング留め金具１３を使用する。
【００３５】
図７を参照する。図７は、本発明に係る実施形態１にて使用される分岐接続作業のためのバックボーンケーブルに適している光ファイバケーブル接続筐体１の内部を示している概略図である。光ファイバ筐体１内部に光ファイバ収集盤支柱１４は配置される。第１の中空円筒管４および第２の中空円筒管１０が、それぞれ、分岐接続作業のためのバックボーンケーブル５が通過することを可能にするために、および、まっすぐな直接の接続作業のためのバックボーンケーブル５０１が通過することを可能にするために、ケーブル導入口ボード２に位置されており、その位置において、バックボーンケーブル５、５０１のための光ファイバケーブル接続筐体１に挿入の後のまっすぐな経路に割り当てられる。バックボーンケーブルは、光ファイバ収集盤支柱１４に支持された光ファイバ収集盤１５によって妨げられず、干渉されない。光ファイバ収集盤支柱１４を固定するための光ファイバケーブル接続筐体１に配置されている第２の固定具装置１６がある。第２の固定具装置１６は、バックボーンケーブル５、５０１が通過するケーブル導入口ボード２の入口および出口に対応する異なる位置に光ファイバ収集盤支柱１４を固定することができる（図７に示すように）。加えて、光ファイバケーブル接続筐体１は、本発明に係る実施形態１に用いられる分岐接続作業に適している。第２の中空円筒管１０が、ファイバケーブル１１が通過するためのケーブル導入口ボード２に割り当てられ入口および出口位置は、光ファイバ６のための光ファイバケーブル接続筐体１への挿入の後のまっすぐな経路に割り当てられ、そしてそれは、光ファイバ収集盤支柱１４に支持された光ファイバ収集盤１５によって妨げられず、干渉されない（図６に示すように）。
【００３６】
図８を参照する。図８は、本発明に係る実施形態１に用いられる分岐接続作業のためのバックボーンケーブルに適している光ファイバケーブル接続筐体１を示す概略図である。熱収縮管９が分岐接続作業のためのバックボーンケーブル５のための防水処理として機能するときに、ケーブル接続筐体１の外側の部分上の第３の固定具装置１７は、第１の円筒管４を通る熱収縮管９による防水処理によって処理される光ファイバを固定するために利用される。そこにおいて、第３の固定具装置１７は、第１の固定部１８および第１の固定部１８に接続される第２の固定部１９を含む。第１の固定部１８は、ネジ締め可能な方法を使用することにより、ケーブル導入口ボード２の接続部３の外側上の２つのネジ固着孔で第３の固定具装置１７を固定する。第２の固定部１９は、ステンレススチールリング留め金具２０を使用することにより、第３の固定具装置１７上の熱収縮管９の防水構造の外側に、光ファイバ５を固定する。そしてそれは、ケーブル導入口ボード２の熱収縮管９の防水構造の損失を回避するためであって、ケーブル導入口ボード２はケーブル接続筐体１の外側の部分に接続される光ファイバ５の曲げに影響を受け、一方、光ファイバケーブル接続筐体１は動いてしまうからである。
【００３７】
実施形態２
図９を参照する。図９は、本発明に係る実施形態１に使用される分岐接続作業のためのバックボーンケーブルに適している光ファイバケーブル接続筐体１を示している概略図である。実施形態１と実施形態２との違いは、ケーブル導入口ボード２に形成される接続部３と第１の中空円筒管４とが、それぞれ異なる位置に形成されることである。
【００３８】
実施形態１および２の前記説明から、本発明は接続部、中空円筒管および被接続部分を有するデータ通信光ファイバケーブル接続筐体を提供することであり、そして、低い機能、高いコスト、一貫しない組立品質および安全でない組立のような欠陥などを克服するために、筐体は既存の技術を効果的に改善することができる。それゆえに、本発明は、全体の機能を高め、組立品質および安全性を高め、および、関連した従業者に対しての組立およびメンテナンスのためのコストを顕著に減らすものである。
【００３９】
本発明が現在、最も実際的であり、好ましい実施態様であると考慮される観点から記載されている。そしてそれは、本発明の要件が開示された実施形態に限定されるものではないことは理解されるものである。これに対して、添付の請求項の範囲内に含まれるさまざまな修正および類似の変更を包含することを目的とされる。そして、それは全てのこのような修正および類似の変更を含むように最も広い解釈に従うものである。
【図１（Ａ）】
0005612206.tif 000002
【図１（Ｂ）】
0005612206.tif 000003
【図２】
0005612206.tif 000004
【図３（Ａ）】
0005612206.tif 000005
【図３（Ｂ）】
0005612206.tif 000006
【図３（Ｃ）】
0005612206.tif 000007
【図３（Ｄ）】
0005612206.tif 000008
【図４（Ａ）】
0005612206.tif 000009
【図４（Ｂ）】
0005612206.tif 000010
【図４（Ｃ）】
0005612206.tif 000011
【図５】
0005612206.tif 000012
【図６】
0005612206.tif 000013
【図７】
0005612206.tif 000014
【図８】
0005612206.tif 000015
【図９】
0005612206.tif 000016